(57)【要約】【課題】映像作品の効率的な作成を支援する。【解決手段】  本発明の実施形態に係る映像作品作成装置１０は、複数のテンプレートの中から作成する映像作品に適用するテンプレートの選択を受け付けるテンプレート選択受付部１１１と、  選択されたテンプレートが有する複数のカットに対応する複数の撮影映像をそれぞれ登録する撮影映像登録部１１３と、登録された複数の撮影映像に基づいて映像作品を作成する映像作品作成部１１５と、を備え、撮影映像登録部１１３は、選択されたテンプレートが、他のテンプレートが有するカットを被参照カットとして参照する参照カットを有する場合に、当該他のテンプレートが適用された他の映像作品を作成するために登録されている当該被参照カットに対応する撮影映像を、選択されたテンプレートが有する参照カットに対応する撮影映像として登録するように構成されている。【選択図】図１
2019186784.tif 000002
【特許請求の範囲】
【請求項１】
映像作品を作成するための映像作品作成装置であって、
複数のテンプレートの中から作成する映像作品に適用するテンプレートの選択を受け付けるテンプレート選択受付部と、
選択されたテンプレートが有する複数のカットに対応する複数の撮影映像をそれぞれ登録する撮影映像登録部と、
登録された複数の撮影映像に基づいて映像作品を作成する映像作品作成部と、を備え、
前記撮影映像登録部は、前記選択されたテンプレートが、他のテンプレートが有するカットを被参照カットとして参照する参照カットを有する場合に、前記他のテンプレートが適用された他の映像作品を作成するために登録されている前記被参照カットに対応する撮影映像を、前記選択されたテンプレートが有する前記参照カットに対応する撮影映像として登録するように構成されている、
映像作品作成装置。
【請求項２】
前記複数のテンプレートは、第１の所定数のカットを有する第１のテンプレートと、前記第１の所定数よりも少ない第２の所定数のカットを有する第２のテンプレートと、を含み、
前記第２の所定数のカットは、前記第１の所定数のカットの一部を被参照カットとしてそれぞれ参照する参照カットとして構成されている、
請求項１に記載の映像作品作成装置。
【請求項３】
前記複数のテンプレートは、第１のカットを有する第１のテンプレートと、前記第１のカットを被参照カットとしてそれぞれ参照する２以上の所定数の参照カットを有する第２のテンプレートと、を含み、
前記撮影映像登録部は、前記選択されたテンプレートが前記第２のテンプレートである場合に、前記第１のテンプレートがそれぞれ適用された前記所定数の他の映像作品を作成するために登録されている前記第１のカットにそれぞれ対応する前記所定数の撮影映像を、前記第２のテンプレートが有する前記所定数の参照カットに対応する撮影映像としてそれぞれ登録するように構成されている、
請求項１に記載の映像作品作成装置。
【請求項４】
１又は複数のコンピュータによって実行され、映像作品を作成するための映像作品作成方法であって、
複数のテンプレートの中から作成する映像作品に適用するテンプレートの選択を受け付ける工程と、
選択されたテンプレートが有する複数のカットに対応する複数の撮影映像をそれぞれ登録する工程と、
登録された複数の撮影映像に基づいて映像作品を作成する工程と、を備え、
前記撮影映像を登録する工程は、前記選択されたテンプレートが、他のテンプレートが有するカットを被参照カットとして参照する参照カットを有する場合に、前記他のテンプレートが適用された他の映像作品を作成するために登録されている前記被参照カットに対応する撮影映像を、前記選択されたテンプレートが有する前記参照カットに対応する撮影映像として登録することを含む、
映像作品作成方法
【請求項５】
映像作品を作成するための映像作品作成プログラムであって、１又は複数のコンピュータに、
複数のテンプレートの中から作成する映像作品に適用するテンプレートの選択を受け付ける処理と、
選択されたテンプレートが有する複数のカットに対応する複数の撮影映像をそれぞれ登録する処理と、
登録された複数の撮影映像に基づいて映像作品を作成する処理と、を実行させ、
前記撮影映像を登録する処理は、前記選択されたテンプレートが、他のテンプレートが有するカットを被参照カットとして参照する参照カットを有する場合に、前記他のテンプレートが適用された他の映像作品を作成するために登録されている前記被参照カットに対応する撮影映像を、前記選択されたテンプレートが有する前記参照カットに対応する撮影映像として登録することを含む、
映像作品作成プログラム。
【発明の詳細な説明】
【技術分野】
【０００１】
本発明は、映像作品を作成するための装置、方法、及びプログラムに関するものである。
【背景技術】
【０００２】
従来、広告動画等の映像作品を作成するための装置が提案されている。例えば、下記特許文献１は、撮影テンプレートに従って撮影カット毎に撮影を行うことで、編集作業を行わずにストーリー性のある動画の撮影が可能な装置を開示している。
【先行技術文献】
【特許文献】
【０００３】
【特許文献１】特開２０１５−１１５７１８号公報
【発明の概要】
【発明が解決しようとする課題】
【０００４】
しかしながら、上述した従来の装置においては、ストーリー性のある映像作品を容易に撮影することが可能となるものの、映像作品を作成する都度、新たな撮影作業が必要となり、例えば、相互に類似する複数の映像作品（例えば、同じ商品を宣伝するための複数の映像作品等）を作成する場合であっても、作品毎に撮影作業が必要となってしまう。このように、従来の映像作品を作成するための装置は、その効率性の観点で改善の余地がある。
【０００５】
本発明は、映像作品の効率的な作成を支援することを目的の１つとする。本発明の他の目的は、本明細書全体を参照することにより明らかとなる。
【課題を解決するための手段】
【０００６】
本発明の実施形態に係る映像作品作成装置は、映像作品を作成するための映像作品作成装置であって、複数のテンプレートの中から作成する映像作品に適用するテンプレートの選択を受け付けるテンプレート選択受付部と、選択されたテンプレートが有する複数のカットに対応する複数の撮影映像をそれぞれ登録する撮影映像登録部と、登録された複数の撮影映像に基づいて映像作品を作成する映像作品作成部と、を備え、前記撮影映像登録部は、前記選択されたテンプレートが、他のテンプレートが有するカットを被参照カットとして参照する参照カットを有する場合に、前記他のテンプレートが適用された他の映像作品を作成するために登録されている前記被参照カットに対応する撮影映像を、前記選択されたテンプレートが有する前記参照カットに対応する撮影映像として登録するように構成されている。
【０００７】
この構成によれば、選択されたテンプレートが有する参照カットに対応する撮影映像として、当該参照カットが参照する被参照カットを有する他のテンプレートが適用された他の映像作品を作成するために登録されている撮影映像を登録する（つまり、他の映像作品のために登録されている撮影映像を再利用する）ことができるから、撮影映像を効率的に利用した映像作品の作成が促進される。
【０００８】
また、上記装置において、前記複数のテンプレートは、第１の所定数のカットを有する第１のテンプレートと、前記第１の所定数よりも少ない第２の所定数のカットを有する第２のテンプレートと、を含み、前記第２の所定数のカットは、前記第１の所定数のカットの一部を被参照カットとしてそれぞれ参照する参照カットとして構成されている、ように構成され得る。こうすれば、例えば、第１のテンプレートが適用された映像作品を作成した後に、当該映像作品のカット数を少なくして再生時間を短くした（短尺化された）新たな映像作品を、第２のテンプレートを用いて容易に作成することが可能となる。
【０００９】
また、上記装置において、前記複数のテンプレートは、第１のカットを有する第１のテンプレートと、前記第１のカットを被参照カットとしてそれぞれ参照する２以上の所定数の参照カットを有する第２のテンプレートと、を含み、前記撮影映像登録部は、前記選択されたテンプレートが前記第２のテンプレートである場合に、前記第１のテンプレートがそれぞれ適用された前記所定数の他の映像作品を作成するために登録されている前記第１のカットにそれぞれ対応する前記所定数の撮影映像を、前記第２のテンプレートが有する前記所定数の参照カットに対応する撮影映像としてそれぞれ登録するように構成されている、ように構成され得る。こうすれば、例えば、同じ第１のテンプレートが適用された複数の映像作品（例えば、宣伝対象の商品が異なる複数の映像作品等）を作成した後に、当該複数の映像作品においてそれぞれ登録されている複数の撮影映像に基づく映像作品（例えば、複数の商品を一括して宣伝する広告動画等）を、第２のテンプレートを用いて容易に作成することが可能となる。
【００１０】
本発明の実施形態に係る映像作品作成方法は、１又は複数のコンピュータによって実行され、映像作品を作成するための映像作品作成方法であって、複数のテンプレートの中から作成する映像作品に適用するテンプレートの選択を受け付ける工程と、選択されたテンプレートが有する複数のカットに対応する複数の撮影映像をそれぞれ登録する工程と、登録された複数の撮影映像に基づいて映像作品を作成する工程と、を備え、前記撮影映像を登録する工程は、前記選択されたテンプレートが、他のテンプレートが有するカットを被参照カットとして参照する参照カットを有する場合に、前記他のテンプレートが適用された他の映像作品を作成するために登録されている前記被参照カットに対応する撮影映像を、前記選択されたテンプレートが有する前記参照カットに対応する撮影映像として登録することを含む。
【００１１】
この構成によれば、選択されたテンプレートが有する参照カットに対応する撮影映像として、当該参照カットが参照する被参照カットを有する他のテンプレートが適用された他の映像作品を作成するために登録されている撮影映像を登録する（つまり、他の映像作品のために登録されている撮影映像を再利用する）ことができるから、撮影映像を効率的に利用した映像作品の作成が促進される。
【００１２】
本発明の実施形態に係る映像作品作成プログラムは、映像作品を作成するための映像作品作成プログラムであって、１又は複数のコンピュータに、複数のテンプレートの中から作成する映像作品に適用するテンプレートの選択を受け付ける処理と、選択されたテンプレートが有する複数のカットに対応する複数の撮影映像をそれぞれ登録する処理と、登録された複数の撮影映像に基づいて映像作品を作成する処理と、を実行させ、前記撮影映像を登録する処理は、前記選択されたテンプレートが、他のテンプレートが有するカットを被参照カットとして参照する参照カットを有する場合に、前記他のテンプレートが適用された他の映像作品を作成するために登録されている前記被参照カットに対応する撮影映像を、前記選択されたテンプレートが有する前記参照カットに対応する撮影映像として登録することを含む。
【００１３】
この構成によれば、選択されたテンプレートが有する参照カットに対応する撮影映像として、当該参照カットが参照する被参照カットを有する他のテンプレートが適用された他の映像作品を作成するために登録されている撮影映像を登録する（つまり、他の映像作品のために登録されている撮影映像を再利用する）ことができるから、撮影映像を効率的に利用した映像作品の作成が促進される。
【発明の効果】
【００１４】
本発明の様々な実施形態は、映像作品の効率的な作成を支援する。
【図面の簡単な説明】
【００１５】
【図１】本発明の一実施形態に係る映像作品作成装置１０の構成を概略的に示す構成図である。
【図２】テンプレート２０のデータ構造を説明するための図である。
【図３】映像作品３０のデータ構造を説明するための図である。
【図４】映像作品作成装置１０が実行する処理を例示するフローチャートである。
【図５】テンプレート選択画面４０を例示する図である。
【図６】撮影画面５０を例示する図である。
【図７】他の状態の撮影画面５０を例示する図である。
【図８】テンプレート２０Ａのデータ構造の具体例を示す図である。
【図９】テンプレート２０Ａを参照するテンプレート２０Ｂのデータ構造の具体例を示す図である。
【図１０】映像作品選択画面６０を例示する図である。
【図１１】撮影画面５０を例示する図である。
【図１２】テンプレート２０Ｃのデータ構造の具体例を示す図である。
【図１３】映像作品選択画面６０Ａを例示する図である。
【発明を実施するための形態】
【００１６】
以下、図面を参照しながら、本発明の実施形態について説明する。
【００１７】
図１は、本発明の一実施形態に係る映像作品作成装置１０の構成を概略的に示す構成図である。本実施形態において、映像作品作成装置１０は、ユーザがテンプレートを用いて容易に映像作品としての広告動画を作成するための機能を有する。
【００１８】
映像作品作成装置１０は、一般的なコンピュータとしての構成を有し、例えば、スマートフォン、タブレット端末等として構成される。具体的には、映像作品作成装置１０は、図１に示すように、ＣＰＵ１１と、ＤＲＡＭ等によって構成されデータやプログラムを一時的に記憶するメインメモリ１２と、ユーザとの間で情報のやり取りを行うユーザインタフェース１３と、有線又は無線の通信を制御する通信インタフェース１４と、磁気ディスク又はフラッシュメモリ等によって構成されデータやプログラムを記憶するストレージ１５とを備える。ＣＰＵ１１は、ストレージ１５に記憶されているプログラムをメインメモリ１２に読み込んで、当該プログラムに含まれる命令を実行する。
【００１９】
ユーザインタフェース１３は、例えば、キーボード、マウス、及びタッチパネル等の情報入力装置、マイクロフォン等の音声入力装置、カメラ等の画像入力装置、ディスプレイ等の画像出力装置、及びスピーカ等の音声出力装置を含む。通信Ｉ／Ｆ１４は、ネットワークアダプタ等のハードウェア、各種の通信用ソフトウェア、又はこれらの組み合わせとして実装される。
【００２０】
ストレージ１５は、映像作品を作成するための様々な情報を記憶する。例えば、ストレージ１５は、映像作品を作成するための複数のテンプレート２０、及び、作成された複数の映像作品３０等を記憶する。
【００２１】
図２は、ストレージ１５に格納される個別のテンプレート２０のデータ構造を説明するための図である。テンプレート２０は、図示するように、個別のテンプレートを識別する「テンプレートＩＤ」、当該テンプレートに対応する映像作品の長さ（再生時間）である「長さ」、及び「タイトル」等の情報を有する。また、テンプレート２０は、複数のカット２２を有し、各カット２２は、個別のカットを識別する「カットＩＤ」、当該カットに対応する撮影映像の長さ（再生時間）である「長さ」、「タイトル」、及び「ガイド情報」等の情報を有する。ガイド情報は、ユーザよって行われる撮影作業を案内するための情報であり、各カット２２の説明、及び、構図（被写体の位置等）に関する情報が含まれる。
【００２２】
図３は、ストレージ１５に格納される個別の映像作品３０のデータ構造を説明するための図である。映像作品３０は、図示するように、個別の映像作品を識別する「作品ＩＤ」、当該映像作品に適用されたテンプレートを識別する「テンプレートＩＤ」等の情報を有する。また、映像作品３０は、複数の撮影映像（クリップ）３２を有し、各撮影映像３２は、個別の撮影映像を識別する「クリップＩＤ」、当該撮影映像に対応するテンプレートのカットを識別する「カットＩＤ」、及び「動画ファイル情報」等の情報を有する。動画ファイル情報は、各撮影映像に対応する動画ファイルを特定するための情報（ファイル名等）を含む。
【００２３】
映像作品作成装置１０は、ストレージ１５等に記憶されているプログラムに含まれる命令をＣＰＵ１１が実行することによって、図１に示すように、テンプレート選択受付部１１１、撮影映像登録部１１３、及び、映像作品作成部１１５として機能する。テンプレート選択受付部１１１は、テンプレートの選択の受付に関する様々な処理を実行する。例えば、テンプレート選択受付部１１１は、ストレージ１５に格納されている複数のテンプレートの中から所望のテンプレートを選択可能な画面を映像作品作成装置１０において表示し、当該画面を介してユーザによるテンプレートの選択を受け付ける。撮影映像登録部１１３は、撮影映像の登録に関する様々な処理を実行する。例えば、撮影映像登録部１１３は、選択されたテンプレートが有する複数のカットに対応する複数の撮影映像をストレージ１５にそれぞれ登録する。映像作品作成部１１５は、映像作品の作成に関する様々な処理を実行する。例えば、映像作品作成部１１５は、登録された複数の撮影映像に基づいて映像作品を作成する。
【００２４】
次に、このように構成された本実施形態の映像作品作成装置１０の動作について説明する。図４は、映像作品を作成するために映像作品作成装置１０が実行する処理を例示するフローチャートである。映像作品作成装置１０は、まず、図示するように、ユーザによるテンプレートの選択を受け付ける（ＳＴ１００）。
【００２５】
図５は、ユーザがテンプレートを選択するためのテンプレート選択画面４０を例示する。当該画面４０は、図示するように、複数のテンプレートを一覧表示する一覧表示領域４２を有する。一覧表示領域４２には、ストレージ１５に格納されている複数のテンプレートの各々に関する情報（テンプレートのタイトル、及び、長さ）が一覧表示される。ユーザは、当該一覧表示領域４２を介して、映像作品に適用する所望のテンプレートを選択することができる。なお、テンプレートを所定のカテゴリに分類し、テンプレート選択画面４０において、当該カテゴリを用いたテンプレートの絞り込みを行えるようにしても良い。
【００２６】
テンプレート選択画面４０を介してユーザによるテンプレートの選択を受け付けると、映像作品作成装置１０は、次に、選択されたテンプレートが、他のテンプレートのカットを被参照カットとして参照する参照カットを有する参照テンプレートであるか否かを判定し（ＳＴ１０２）、参照テンプレートでない通常テンプレートである場合は（ＳＴ１０２においてＮＯ）、撮影映像を登録する（ＳＴ１０６）。
【００２７】
図６は、テンプレート選択画面４０の一覧表示領域４２を介して通常テンプレートが選択された場合に、当該画面４０に代えて表示される撮影画面５０を例示する。当該画面５０は、図示するように、選択されているテンプレートに関する情報を表示するテンプレート情報表示領域５１と、選択されているテンプレートが有する複数のカットの各々に関する情報をそれぞれ表示する複数のカット情報表示領域５２と、映像作品作成オブジェクト５４とを有する。
【００２８】
複数のカット情報表示領域５２は、テンプレートにおけるカットの順序に従って上下方向に並べて配置されており、上下方向のフリック操作等により表示される領域５２が切り替わる。個別の領域５２には、カットに関する情報（タイトル、及び、長さ）が表示されていると共に、撮影オブジェクト５２１が配置されている。当該オブジェクト５２１が選択されると、対応するカットの撮影が開始される。具体的には、映像作品作成装置１０において、対応するガイド情報が再生された後に、対応する長さの映像が撮影・記録され、撮影映像（動画ファイル）がストレージ１５に登録される。
【００２９】
図７は、一部のカット情報表示領域５２に対応する撮影映像が登録されている状態の撮影画面５０を例示する。図７の画面５０は、カット情報表示領域５２Ａのカット（タイトル「２．商品概要」）に対応する撮影映像が登録されている状態を示している。この場合、領域５２Ａには、撮影オブジェクト５２１に代えて、登録されている対応する撮影映像を再生するための再生オブジェクト５２２が配置されている。また、再生オブジェクト５２２の右側には、登録されている撮影映像を編集（削除を含む。）するための編集オブジェクト５２３が配置されている。再生オブジェクト５２２が選択されると、登録されている動画ファイルが再生される。編集オブジェクト５２３が選択されると、登録されている動画ファイルを編集するための画面が表示され、ユーザは、当該画面を介して動画ファイルの編集を行うことができる。
【００３０】
映像作品作成オブジェクト５４は、選択されているテンプレートが有する複数のカットに対応する全ての撮影映像が登録されると選択可能となる。当該オブジェクト５４が選択されると、映像作品作成装置１０は、登録されている撮影映像に基づいて映像作品を作成する（ＳＴ１０８）。具体的には、テンプレートに設定されている複数のカットの順序に従って複数の撮影映像（動画ファイル）を結合すると共に、同じくテンプレートに対して設定されているルールに従って自動編集を行う。当該自動編集には、例えば、所定のフィルターの適用、及び、ＢＧＭの付加等が含まれる。
【００３１】
このように、通常テンプレートが選択された場合、ユーザは、当該テンプレートが有する複数のカットの各々に設定されているガイド情報に従って動画を撮影するだけで、映像作品を容易に作成することができる。
【００３２】
一方、選択されたテンプレートが、他のテンプレートのカットを被参照カットとして参照する参照カットを有する参照テンプレートである場合は（ＳＴ１０２においてＹＥＳ）、映像作品作成装置１０は、参照する映像作品の選択を受け付ける（ＳＴ１０４）。
【００３３】
ここで、他のテンプレートが有するカットを被参照カットとして参照する参照カットを有する参照テンプレートの具体例について説明する。図８は、被参照カットを有する通常テンプレートの一例であるテンプレート２０Ａのデータ構造の具体例を示し、図９は、当該テンプレート２０Ａを参照する参照テンプレートの一例であるテンプレート２０Ｂのデータ構造の具体例を示す。
【００３４】
テンプレート２０Ａは、図８に示すように、テンプレートＩＤが「１１１」であり、長さが「３４秒」であり、タイトルが「商品紹介（フル）」である。また、テンプレート２０Ａは、７つのカットを有している。カットＩＤが「１０２３４」であるカットは、長さが「４秒」であり、タイトルが「タイトル」である。同様に、カットＩＤがそれぞれ「１０２３５」〜「１０２４０」である６つのカットは、順に、タイトル及び長さが「商品概要（４秒）」、「特徴１（４秒）」、「特徴２（４秒）」、「特徴３（４秒）」、「レビュー（１０秒）」、「商品決めカット（４秒）」である。
【００３５】
テンプレート２０Ａを参照する参照テンプレートであるテンプレート２０Ｂは、図９に示すように、テンプレートＩＤが「１１２」であり、長さが「１８秒」であり、タイトルが「商品紹介（レビューのみ）」である。そして、テンプレート２０Ｂは、図８に例示したテンプレート２０Ａが有する３つのカット（タイトルがそれぞれ「商品概要」、「レビュー」及び「商品決めカット」である３つのカット）を被参照カットとしてそれぞれ参照する３つの参照カットを有している。本実施形態において、参照カット及び被参照カットは同一のカットＩＤが設定されており、これにより、カット間の参照関係が規定されている。図９に例示した「商品紹介（レビューのみ）」のテンプレート２０Ｂは、図８に例示した「商品紹介（フル）」のテンプレート２０Ａが有する複数のカットの一部から構成されており、「商品紹介（フル）」のテンプレート２０Ａが適用された映像作品のカット数を少なくして再生時間を短くした（短尺化された）新たな映像作品を作成するためのテンプレートであると言える。
【００３６】
図１０は、ユーザが参照する映像作品を選択するための映像作品選択画面６０を例示する。当該画面６０は、テンプレート選択画面４０の一覧表示領域４２を介して参照テンプレートが選択されたときに、当該画面４０に代えて表示される。映像作品選択画面６０は、図示するように、１又は複数の映像作品を一覧表示する一覧表示領域６２を有する。一覧表示領域６２には、選択されている参照テンプレートが参照する他のテンプレートが適用されている１又は複数の映像作品に関する情報（タイトル）が一覧表示される。ユーザは、当該一覧表示領域６２を介して、参照する映像作品を選択することになる。
【００３７】
こうして参照する映像作品の選択を受け付けると、撮影映像の登録（ＳＴ１０６）へと進む。図１１は、映像作品選択画面６０の一覧表示領域６２を介して何れかの映像作品が選択された後に表示される撮影画面５０を例示する。参照テンプレートが選択されている場合、テンプレートが有する複数のカットに対応する複数の撮影映像として、参照する映像作品において既に登録されている撮影映像（被参照カットに対応する撮影映像）が自動的に登録される。この結果、図１１に示すように、撮影画面５０においても、複数のカット情報表示領域５２の全てが、撮影映像が既に登録されている状態の領域５２Ａとなる。ユーザは、映像作品作成オブジェクト５４を選択することにより、直ちに映像作品の作成を行うことができる。
【００３８】
図１２は、参照テンプレートの他の例であるテンプレート２０Ｃのデータ構造の具体例を例示する図である。当該テンプレート２０Ｃは、他のテンプレートが有する同じ被参照カットをそれぞれ参照する複数の参照カットを有する参照テンプレートである。当該テンプレート２０Ｃは、図示するように、テンプレートＩＤが「１１３」であり、長さが「４０秒」であり、タイトルが「商品ランキングＴＯＰ３」である。また、テンプレート２０Ｃは、１０個のカットを有している。カットＩＤが「１０２４１」であるカットは、長さが「４秒」であり、タイトルが「ランキングタイトル」である。
【００３９】
また、テンプレート２０Ｃは、図８に例示したテンプレート２０Ａ（商品紹介（フル））が有する３つのカット（タイトルがそれぞれ「商品概要」、「特徴１」及び「商品決めカット」である３つのカット）を被参照カットとしてそれぞれ参照する３つの参照カットのセット（図１２において破線の矩形で示す。）を３セット有する（つまり、９つの参照カットを有する）。
【００４０】
図１３は、図１２に例示したテンプレート２０Ｃ（商品ランキングＴＯＰ３）がテンプレート選択画面４０を介して選択された場合に、当該画面４０に代えて表示される映像作品選択画面６０Ａを例示する。当該画面６０Ａは、図示するように、図１１に例示した映像作品選択画面６０と同様に、１又は複数の映像作品を一覧表示する一覧表示領域６２を有する。一覧表示領域６２には、選択されている参照テンプレートが参照するテンプレート（図１３の例では、テンプレート２０Ａ（商品紹介（フル））が適用されている１又は複数の映像作品に関する情報（タイトル）が一覧表示される。ユーザは、当該一覧表示領域６２を介して、参照する映像作品（撮影映像を利用する映像作品）を選択することになる。テンプレート２０Ｃは、参照する映像作品の数が３つであるから、画面６０Ａの一覧表示領域６２は、順に３つの映像作品を選択できるように構成されている。
【００４１】
映像作品選択画面６０Ａの一覧表示領域６２を介して３つの映像作品が選択されると、参照する３つの映像作品においてそれぞれ登録されている３つの撮影映像が自動的に登録される。参照カットではない残りのカット（ランキングタイトル）に対応する撮影映像については、ユーザは、ガイド情報に従って撮影することになる。図１２に例示した「商品ランキングＴＯＰ３」のテンプレート２０Ｃは、図８に例示した「商品紹介（フル）」のテンプレート２０Ａが有する特定のカットを参照する参照カットのセットを複数有し、「商品紹介（フル）」のテンプレート２０Ａが適用された複数の映像作品に基づく新たな映像作品を作成するためのテンプレートであると言える。
【００４２】
以上説明した本実施形態に係る映像作品作成装置１０においては、選択されたテンプレートが有する参照カットに対応する撮影映像（動画ファイル）として、被参照カットを有する他のテンプレートが適用された他の映像作品を作成するために登録されている撮影映像を登録することができるから、撮影映像を効率的に利用した映像作品の作成が促進される。
【００４３】
上述した実施形態では、テンプレート２０及び映像作品３０が、映像作品作成装置１０のストレージ１５に格納されているが、本発明の他の実施形態では、テンプレート２０及び映像作品３０の少なくとも一部は、インターネット等のネットワークを介して接続されたクラウドストレージ等に格納されるように構成され得る。
【００４４】
また、上述した実施形態では、映像作品作成装置１０は、スマートフォンやタブレット端末等として構成されるが、他の実施形態では、映像作品作成装置１０は、例えばサーバ装置として構成されてもよい。具体的に、映像作品作成装置１０は、所定のネットワークを介してスマートフォンやタブレット端末等からアクセスされて使用されてもよい。
【符号の説明】
【００４５】
１０…映像作品作成装置、１１１…テンプレート選択受付部、１１３…撮影映像登録部、１１５…映像作品作成部、２０，２０Ａ，２０Ｂ，２０Ｃ…テンプレート、２２…カット、３０…映像作品、３２…クリップ、４０…テンプレート選択画面、５０…撮影画面、６０，６０Ａ…映像作品選択画面。
【図１】
2019186784.tif 000003
【図２】
2019186784.tif 000004
【図３】
2019186784.tif 000005
【図４】
2019186784.tif 000006
【図５】
2019186784.tif 000007
【図６】
2019186784.tif 000008
【図７】
2019186784.tif 000009
【図８】
2019186784.tif 000010
【図９】
2019186784.tif 000011
【図１０】
2019186784.tif 000012
【図１１】
2019186784.tif 000013
【図１２】
2019186784.tif 000014
【図１３】
2019186784.tif 000015